(57)【要約】【課題】語句に対する世論を反映した印象を容易かつ効率的に収集することができる評価情報入力支援装置、評価情報入力支援方法およびその方法を実行させるプログラムを提供すること。【解決手段】画像検索装置１００は、画像検索機能を備えるとともに、この画像検索機能を利用して、入力されたキーワードに対する印象を表す評価情報を収集するものである。画像検索装置１００は、記憶手段として、画像情報データベース１０１と、印象情報データベース１０２と、を備え、演算処理手段として、画像を検索して表示させる画像処理部１１０と、キーワードに対する印象を表す評価情報を収集する印象情報収集部１２０と、収集した印象ログに基づいて対象コンテンツの印象度を判定する印象度判定部１３０と、を備えている。【選択図】図１
2010271757.tif 000002
【特許請求の範囲】
【請求項１】
語句に対する印象を表す評価情報の入力を支援する評価情報入力支援装置であって、
画像検索手段と、
ユーザが入力した語句に関連する画像を前記画像検索手段から取得し、取得された画像を検索候補として表示させる画像表示手段と、
前記検索候補の中から任意の画像が選択されたことを示す選択情報を取得した時に、前記選択された画像に対する印象を表す評価情報の入力を受け付ける印象入力手段と、
前記入力された語句と前記選択された任意の画像に対して入力された評価情報とを関連付けて印象情報記憶手段に記憶させる印象情報格納手段と、を備えることを特徴とする評価情報入力支援装置。
【請求項２】
請求項１に記載の評価情報入力支援装置において、
前記印象入力手段は、複数の評価情報を表示させ、前記複数の評価情報の中から、前記選択された任意の画像に対する印象を表す評価情報を選択入力させることを特徴とする評価情報入力支援装置。
【請求項３】
請求項１または請求項２に記載の評価情報入力支援装置において、
前記印象情報記憶手段に記憶されたデータのうち、記憶されてから所定期間経過したデータを削除する印象情報削除手段をさらに備えることを特徴とする評価情報入力支援装置。
【請求項４】
請求項１から請求項３のいずれかに記載の評価情報入力支援装置において、
テキストコンテンツに含まれる特徴語を抽出する特徴語抽出手段と、
前記抽出された特徴語と前記印象情報記憶手段に記憶された語句とを比較し、前記特徴語と一致する語句の印象を表す評価情報を抽出する印象情報抽出手段と、
前記抽出した評価情報に基づいて、前記テキストコンテンツの総合印象を判定する印象判定手段と、をさらに備えることを特徴とする評価情報入力支援装置。
【請求項５】
画像検索手段を有するとともに語句に対する印象を表す評価情報の入力を支援する評価情報入力支援装置における評価情報入力支援方法であって、
ユーザが入力した語句に関連する画像を前記画像検索手段から取得し、取得された画像を検索候補として表示させるステップと、
前記検索候補の中から任意の画像が選択されたことを示す選択情報を取得した時に、前記選択された画像に対する印象を表す評価情報の入力を受け付けるステップと、
前記入力された語句と前記選択された画像に対して入力された評価情報とを関連付けて印象情報記憶手段に記憶させるステップと、を実行することを特徴とする評価情報入力支援方法。
【請求項６】
請求項５に記載の評価情報入力支援方法をコンピュータに実行させることを特徴とする評価情報入力支援プログラム。
【発明の詳細な説明】
【技術分野】
【０００１】
本発明は、語句に対する印象を表す評価情報を収集する評価情報入力支援装置、評価情報入力支援方法およびその方法を実行させるプログラムに関する。
【背景技術】
【０００２】
インターネット上のウェブページに表示される文章としての情報は、閲覧者が一目見ただけではその内容を判断することが難しいため、閲覧者に文章の内容へ注意を向けさせるための技術が求められている。
そこで、閲覧者が一目見ただけで文章の内容が表す印象（感情）を把握できるように、文章の内容を表現した画像を文章とともに表示するシステムが知られている。具体的には、予め用意されているキーワードとそのキーワードが表現する感情とを対応付けて記憶させておき、対象となる文章中に含まれるキーワードに応じて、そのキーワードが表現する感情を画像に取り込んで文章とともにその画像を表示させる（例えば、特許文献１参照）。
【先行技術文献】
【特許文献】
【０００３】
【特許文献１】特開２００８−２４２６９３号公報
【発明の概要】
【発明が解決しようとする課題】
【０００４】
特許文献１では、キーワードとそのキーワードが表現する感情とを対応付けて記憶させたデータベースが予め用意されている。
しかしながら、語句（キーワード）に対する印象や感情は、時代の流行や世論に応じて大きく変化することがある。例えば、「派遣」というキーワードは、「かっこいい」という印象から「つらい」という全く逆の印象に変化する場合がある。特許文献１のように、予め用意されたデータベースでは、これらの変化に対応することはできない。
また、データベースのデータを定期的または不定期に更新することも考えられるが、全てのキーワードの印象の変化を捉えてデータベースを更新していくことは、煩雑である。
【０００５】
本発明の目的は、語句に対する世論を反映した印象を容易かつ効率的に収集することができる評価情報入力支援装置、評価情報入力支援方法およびその方法を実行させるプログラムを提供することである。
【課題を解決するための手段】
【０００６】
本発明の評価情報入力支援装置は、語句に対する印象を表す評価情報の入力を支援する評価情報入力支援装置であって、画像検索手段と、ユーザが入力した語句に関連する画像を前記画像検索手段から取得し、取得された画像を検索候補として表示させる画像表示手段と、前記検索候補の中から任意の画像が選択されたことを示す選択情報を取得した時に、前記選択された画像に対する印象を表す評価情報の入力を受け付ける印象入力手段と、前記入力された語句と前記選択された任意の画像に対して入力された評価情報とを関連付けて印象情報記憶手段に記憶させる印象情報格納手段と、を備えることを特徴とする。
【０００７】
ここで、印象を表す評価情報とは、ユーザが語句から受ける印象や感情を表現したものであり、具体的には、「おもしろい」「悲しい」「楽しい」「かわいそう」等の評価情報である。
また、画像検索手段は、ユーザに任意の語句を入力させ、入力された語句に関連する画像を検索するものである。
【０００８】
この発明では、画像検索結果として表示された画像のうち、ユーザが任意の画像を選択するたびに、印象入力手段が選択した画像に対する印象を表す評価情報をユーザに入力させ、印象情報格納手段によりこの評価情報と最初に入力された語句とを関連付けて印象情報記憶手段に記憶させる。したがって、画像検索と同時に、語句に対する印象を表す評価情報を容易かつ効率的に収集することができる。このようにして収集された情報は、その時の世論が反映された情報であるため、常にその時代に合った最新の情報を収集することができる。
特に、語句に対する印象ではなく、語句に関連する画像に対する印象をユーザに入力させるため、ユーザは画像から直感的に受ける印象を即座に判断しやすくなり、印象の入力を容易にすることができる。すなわち、画像を媒介とすることにより、語句に対する印象を表す評価情報を容易に収集することができる。
【０００９】
本発明の評価情報入力支援装置において、前記印象入力手段は、複数の評価情報を表示させ、前記複数の評価情報の中から、前記選択された任意の画像に対する印象を表す評価情報を選択入力させることが好ましい。
【００１０】
この発明では、印象入力手段により予め用意しておいた画像に対する複数の評価情報を表示させ、その中からユーザに選択させている。したがって、ユーザは画像から受ける直感的な印象に最も近い評価情報を選択するだけでよいので、ユーザの印象入力を容易にすることができる。
【００１１】
本発明の評価情報入力支援装置において、前記印象情報記憶手段に記憶されたデータのうち、記憶されてから所定期間経過したデータを削除する印象情報削除手段をさらに備えることが好ましい。
【００１２】
この発明では、印象情報削除手段により、印象情報記憶手段に記憶されてから所定期間経過したデータは削除される。したがって、印象情報記憶手段のデータは常に最新の情報が保持されている。すなわち、その時の世論や流行に合った情報が保持されるようになる。これにより、最新の情報に基づいて、ウェブページに表示される文章等の持つ印象の判定を行うことができる。
【００１３】
本発明の評価情報入力支援装置において、テキストコンテンツに含まれる特徴語を抽出する特徴語抽出手段と、前記抽出された特徴語と前記印象情報記憶手段に記憶された語句とを比較し、前記特徴語と一致する語句の印象を表す評価情報を抽出する印象情報抽出手段と、前記抽出した評価情報に基づいて、前記テキストコンテンツの総合印象を判定する印象判定手段と、をさらに備えることが好ましい。
【００１４】
この発明では、テキストコンテンツに含まれる特徴語を抽出し、印象情報記憶手段に記憶されたデータのうち、この特徴語と一致する語句の印象を表す評価情報を抽出する。そして、抽出された評価情報に基づいて、テキストコンテンツの総合印象を判定する。
特徴語は、テキストコンテンツを特徴づけるものであるので、該特徴語に対する評価情報により、テキストコンテンツの内容がどのような印象であるかを判定することができる。このように、テキストコンテンツの内容が自動的に判定されるため、コンテンツ作成における指針とすることができる。
【００１５】
本発明の評価情報入力支援方法は、画像検索手段を有するとともに語句に対する印象を表す評価情報の入力を支援する評価情報入力支援装置における評価情報入力支援方法であって、ユーザが入力した語句に関連する画像を前記画像検索手段から取得し、取得された画像を検索候補として表示させるステップと、前記検索候補の中から任意の画像が選択されたことを示す選択情報を取得した時に、前記選択された画像に対する印象を表す評価情報の入力を受け付けるステップと、前記入力された語句と前記選択された画像に対して入力された評価情報とを関連付けて印象情報記憶手段に記憶させるステップと、を実行することを特徴とする。
【００１６】
この発明によれば、画像検索して表示された検索候補の中から任意の画像を選択したときに、選択された画像に対する印象を表す評価情報を入力させ、その評価情報を取得している。取得した評価情報は、ユーザが最初に入力した語句と関連付けられて印象情報記憶手段に記憶される。
このように、画像検索機能を利用して、画像に対する印象を表す評価情報を収集するため、容易かつ効率的に情報を収集することができる。また、ユーザが入力した語句ではなく、語句に関連する画像に対する印象を収集するため、ユーザは画像から直感的に受ける印象を判断しやすく、ユーザの印象の入力を容易にすることができる。
このようにして収集する情報は、その時の世論が反映された情報であるため、常にその時代に合った最新の情報を収集することができる。
【００１７】
本発明の評価情報入力支援プログラムは、前述の評価情報入力支援方法をコンピュータに実行させることを特徴とする。
この発明によれば、コンピュータに前述の評価情報入力支援方法を実行させるため、この評価情報入力支援プログラムをインストールするだけの簡単な構成で、前述と同様の作用効果を得ることでき、有用性が高い。
【図面の簡単な説明】
【００１８】
【図１】本発明の実施形態にかかる画像検索システムの概略構成を示すブロック図。
【図２】前記実施形態における画像検索装置の印象情報を収集する動作を示すフローチャート。
【図３】前記実施形態における画像検索サイトの表示画面を示す図であり、（Ａ）はキーワード入力画面、（Ｂ）は検索候補表示画面、（Ｃ）は印象入力画面、（Ｄ）は画像表示画面を示す。
【図４】前記実施形態における画像検索装置の印象度を判定する動作を示すフローチャート。
【図５】前記実施形態においてキーワードに対する総合印象の判定結果の表示画面を示す図である。
【発明を実施するための形態】
【００１９】
〔第１実施形態〕
以下、本発明の第１実施形態を図面に基づいて説明する。第１実施形態では、画像検索機能を有する画像検索システムを例示して説明する。
［画像検索システムの構成］
図１に示すように、画像検索システム１０は、評価情報入力支援装置としての画像検索装置１００と、インターネット２０を介して画像検索装置１００に接続された端末装置２００と、ウェブサーバ３００と、を備えている。
【００２０】
インターネット２０はＴＣＰ／ＩＰなどの汎用のプロトコルに基づくインターネットであるが、これに限られない。例えば、ＬＡＮ（Local Area Network）などのイントラネット、無線媒体により情報が送受信可能な複数の基地局がネットワークを構成する通信回線網や放送網などのネットワーク、さらには、データを直接受信するための媒体となる無線媒体自体など、データを送受信させるいずれの構成も利用できる。
【００２１】
画像検索装置１００は、画像検索機能を備えるとともに、この画像検索機能を利用して、入力されたキーワード（語句）に対する印象を表す評価情報を収集するものである。画像検索装置１００としては、一般的に用いられているパーソナルコンピュータ（ＰＣ）が用いられ、各種情報を記憶する記憶手段と、各種演算を実施するＣＰＵ等の制御手段と、キーボードやマウス等の入力手段、ウェブページを画面表示として出力させる表示手段などを備えている。
画像検索装置１００は、図１に示すように、記憶手段として、画像情報データベース１０１と、印象情報記憶手段としての印象情報データベース１０２と、を備えている。
【００２２】
画像情報データベース１０１は、例えば、以下の表１に示すように、画像データごとに画像ＩＤおよび語句といった項目が関連付けられて１つのレコードとして記憶されたテーブル構造となっている。画像ＩＤは、各画像データに付与される番号であり、画像データを特定するために用いられる。語句は、画像データに関連付けられた語句であり、例えば、画像データに描画される画像の内容や印象を表す語句がテキストデータとして記憶される。なお、項目はここに列挙したものに限られない。例えば、データが記憶された日時などの画像データに関する情報が適宜追加されてもよい。
【００２３】
【表１】
2010271757.tif 000003
【００２４】
印象情報データベース１０２は、例えば、以下の表２に示すように、語句ごとにこの語句に対する印象を表す複数の評価情報が関連付けられて１つのレコードとして記憶されたテーブル構造となっている。語句は、テキストデータとして記憶される。また、評価情報は、「おもしろい」「バカっぽい」「泣ける」「おいしそう」「かわいそう」「かっこいい」等のコンテンツに対する評価を表すデータであり、それぞれが選択入力された日付が印象ログとして記憶される。なお、印象ログとして、日時が記憶されてもよい。
【００２５】
【表２】
2010271757.tif 000004
【００２６】
また、画像検索装置１００は、演算処理手段として、画像を検索して表示させる画像検索部１１０と、語句の印象を表す評価情報を収集する印象情報収集部１２０と、印象ログに基づいて対象コンテンツの印象度を判定する印象度判定部１３０と、を備えている。また、画像検索装置１００は、図示しないが、インターネット２０を介してデータを送受信するデータ送受信手段を備えている。
【００２７】
画像検索部１１０は、キーワード取得手段１１１と、画像検索手段１１２と、画像表示手段１１３と、を有している。なお、キーワード取得手段１１１および画像検索手段１１２は本発明の画像検索手段、画像表示手段１１３は本発明の画像表示手段として機能する。
キーワード取得手段１１１は、検索サイトのウェブページに関する情報を、インターネット２０を介して端末装置２００に送信する。端末装置２００で表示されるウェブページにはキーワードが入力可能とされ、キーワード取得手段１１１は、そのウェブページ上で入力されたキーワードを取得する。
【００２８】
画像検索手段１１２は、取得したキーワードに関連する画像データを、画像情報データベース１０１から抽出する。具体的には、取得したキーワードと、画像情報データベース１０１に記憶されている語句とを比較し、キーワードと一致する語句が含まれていれば、その画像データを抽出する。なお、抽出する画像データの数は特に限定されず、画像表示手段１１３で表示可能な数の画像データを適宜抽出すればよい。
【００２９】
画像表示手段１１３は、抽出した画像データが検索結果として表示されるウェブページに関する情報を、インターネット２０を介して端末装置２００に送信し、端末装置２００に表示させる。端末装置２００で表示されるウェブページは、複数の画像データが縮小された状態で表示される。ユーザは、端末装置２００において、これらの画像データの中から所望の画像を選択することができる。
【００３０】
印象情報収集部１２０は、印象入力手段としての印象入力取得手段１２１と、印象情報格納手段としての印象ログ格納手段１２２と、印象情報削除手段としての印象ログ削除手段１２３と、を有している。
印象入力取得手段１２１は、画像表示手段１１３により表示された複数の画像データの中から任意の画像が選択されたときに、選択された画像に対する印象を入力させるための印象情報入力画面を表示させる。この印象情報入力画面には印象を表す表現（評価情報）が複数表示され、それらの中から選択可能とされている。そして、印象入力取得手段１２１は、ユーザによって選択された評価情報を取得する。
【００３１】
印象ログ格納手段１２２は、キーワード取得手段１１１で取得したキーワードと印象情報データベース１０２の語句とを比較し、キーワードと一致する語句に対して、取得した評価情報の欄に現在日付を格納する。この現在日付が印象ログとして記憶される。
印象ログ削除手段１２３は、印象情報データベース１０２に記憶されたデータの中で、記憶された印象ログの日付から所定期間経過した印象ログを削除する。所定期間とは、例えば、１週間、１ヶ月、３ヶ月といった期間であり、世論が変化するタイミングに応じて適宜調整すればよい。
【００３２】
印象度判定部１３０は、特徴語抽出手段１３１と、印象情報抽出手段としての印象情報取得手段１３２と、印象判定手段としての印象度判定手段１３３と、印象度提供手段１３４と、を有している。印象度判定部１３０は、ウェブサーバ３００が提供するウェブページ中のテキストコンテンツに対する印象度を判定する。ユーザがウェブページ上のコンテンツに対して印象度を知りたい旨の操作を行った場合に、端末装置２００が画像検索装置１００にアクセスすることにより、印象度判定部１３０は機能する。なお、端末装置２００で常駐するプログラムを用いて、ユーザが端末装置２００で閲覧しているウェブページを取得して機能することとしてもよい。
【００３３】
特徴語抽出手段１３１は、ウェブサーバ３００にアクセスして端末装置２００が要求するコンテンツに関する情報を取得し、コンテンツの内容を解析してコンテンツを特徴付ける特徴語を抽出する。特徴語を抽出する方法として、例えば、ＴＦ・ＩＤＦ等のドキュメント内の各語の重み付け計算手法を利用することができる。ここで、ＴＦ・ＩＤＦとは、文章中の特徴的な単語を抽出するためのアルゴリズムである（「自然言語処理」天野、石崎、宇津呂、成田、福本著、オーム社出版  参照）。
【００３４】
印象情報取得手段１３２は、コンテンツから抽出された特徴語と、印象情報データベース１０２に記憶された語句とを比較し、特徴語と一致する語句の印象ログデータを取得する。
印象度判定手段１３３は、取得した印象ログデータに基づいて、該特徴語に対する印象度を判定する。印象ログデータには、複数の印象を表す評価情報に対するログが記憶されているため、これらのログを用いて、該特徴語に対する評価情報の割合を算出することができる。
印象度提供手段１３４は、該キーワードに対する印象度を、該コンテンツに対する印象度として、数値化またはグラフ化し、端末装置２００に送信して表示させる。
【００３５】
端末装置２００は、図示しないが、演算処理手段として、画像検索装置１００およびウェブサーバ３００に対して利用したいサービスを要求し、要求したサービスのウェブページを受信する端末送受信手段と、ウェブページを画面表示として出力させる出力手段と、文字入力可能なマウスやキーボードなどの入力手段とを備えている。一方、記憶手段としては、各種フォームにかかわるフォームデータを記憶するデータベースなどを備えている。端末装置２００としては特に限定されないが、例えば、携帯電話やノートパソコンなどが挙げられる。
【００３６】
ウェブサーバ３００は、各種情報をウェブサイト上で提供する装置であり、例えば、ニュースを提供するサイトのウェブページなどの各種情報が記憶された記憶手段と、各種演算を実施するＣＰＵ等の制御手段と、キーボードやマウス等の入力手段、ウェブページを画面表示として出力させる表示手段などを備えている。
なお、図１においては、画像検索装置１００は、１つの端末装置２００と１つのウェブサーバ３００とに接続された構成を例示したが、実際には、インターネット２０を介して多数の端末装置２００およびウェブサーバ３００に接続されている。
【００３７】
［画像検索システムの動作］
次に、画像検索システム１０の動作を図面に基づいて説明する。
まず、画像検索と同時に印象を表す評価情報を収集する動作を図２および図３に基づいて説明する。
ユーザは、端末装置２００の入力手段を入力操作し、画像検索装置１００が提供する検索サイトにアクセスするために、例えば、ウェブブラウザを起動させてアドレスを入力し、検索サイトを要求する。
ステップＳ１１において、画像検索装置１００は、図示しない送受信手段により端末装置２００からの検索サイトの要求を受信すると、キーワード取得手段１１１は、該検索サイトのウェブページの情報を端末装置２００に送信する。
【００３８】
端末装置２００は、図示しない送受信手段で検索サイト情報を受信し、出力手段により図３（Ａ）に示すような、検索サイトの入力ページ３１を表示する。入力ページ３１は、キーワードが入力可能な入力部３１１と検索開始を指示するための検索ボタン３１２とを有している。ユーザが、入力手段により、入力部３１１にキーワードを入力し、検索ボタン３１２を押下すると、端末装置２００は、入力したキーワードおよび検索開始の指示を画像検索装置１００に送信する。本実施形態では、キーワードとして「派遣」が入力された例を挙げて説明する。
【００３９】
ステップＳ１２において、画像検索装置１００のキーワード取得手段１１１は、端末装置２００から送信されたキーワードを取得して、ステップＳ１３へ進む。
ステップＳ１３では、画像検索手段１１２が、取得したキーワードと画像情報データベース１０１の語句とを比較し、キーワードと一致する語句が含まれていれば、その画像データを抽出する。具体的には、表１に示す画像情報データベース１０１の語句の中に、「派遣」という語句が記憶されている画像１のデータを抽出する。同様にして、他の画像データも抽出して、ステップＳ１４へ進む。
ステップＳ１４では、画像表示手段１１３が、抽出された画像データを検索結果として表示させる検索結果ページに関する情報を端末装置２００に送信する。
【００４０】
端末装置２００は、図示しない送受信手段で検索結果ページ情報を受信し、出力手段により図３（Ｂ）に示す検索結果ページ３２を表示する。検索結果ページ３２は、入力ページ３１と同様の入力部３１１および検索ボタン３１２のほか、入力部３１１に入力されたキーワード（本実施形態では「派遣」）に関連する画像データが縮小化された状態の画像３２１が一覧表示される。これらの画像データは、マウス等の入力手段で任意の画像データを選択可能とされている。
【００４１】
ユーザが閲覧したい画像データを選択すると、印象入力取得手段１２１により、図３（Ｃ）に示すような印象入力画面３３が表示される。印象入力画面３３は、選択された画像に対する印象を入力させるように促す文章が表示されたテキスト部３３１と、印象を表す評価情報が表示された複数の評価部３３２と、を有している。テキスト部３３１は、例えば、図３（Ｃ）に示すように「この画像はどんな印象ですか？」という文章が表示される。評価部３３２は、ボタンであり、ユーザは、複数の評価部３３２の中から最も近いと思う評価内容が記載された評価部３３２をマウス等の入力手段で選択する。これにより、ユーザが選択した画像に関する情報とこの画像に対するユーザの印象を表す評価情報とが、画像検索装置１００に送信される。
【００４２】
ステップＳ１５において、画像検索装置１００の印象入力取得手段１２１は、端末装置２００から送信された画像に関する情報とこの画像に対する評価情報とを取得して、ステップＳ１６へ進む。
ステップＳ１６では、印象ログ格納手段１２２が、キーワード取得手段１１１により取得したキーワードと印象情報データベース１０２に記憶されている語句とを関連付け、キーワードと一致する語句の評価情報として、取得した評価情報と一致する評価情報の欄に現在日付を印象ログとして記憶させ、ステップＳ１７へ進む。
ステップＳ１７では、画像表示手段１１３が、選択された画像データの詳細情報を端末装置２００に送信する。
端末装置２００では、受信した画像データの詳細情報に基づいて、図３（Ｄ）に示すような画面３４を出力手段により表示する。
【００４３】
次に、印象情報データベース１０２に記憶されたデータに基づいて印象度を判定する動作について説明する。
ユーザは、端末装置２００を操作してウェブサーバ３００にアクセスし、ニュースが掲載されたページを取得する。端末装置２００の出力手段により表示されたニュースページには、例えば、「派遣」に関する記事が掲載されており、ユーザは、この記事から受ける世論の印象を知るために、例えば、ニュースページ上に設けられる印象判定ボタンを押下する。これにより、画像検索装置１００に印象度判定の指示が送信される。
画像検索装置１００は、図示しない送受信手段で印象度判定の指示を受信すると、以下の処理を実施する。
【００４４】
ステップＳ２１では、特徴語抽出手段１３１は、ウェブサーバ３００にアクセスして端末装置２００から指示されたウェブページのコンテンツを取得し、ステップＳ２２へ進む。
ステップＳ２２では、特徴語抽出手段１３１は、前述の方法を用いてコンテンツの内容を解析し、コンテンツの内容を特徴付ける特徴語を抽出してステップＳ２３へ進む。
ステップＳ２３では、印象情報取得手段１３２が、特徴語と印象情報データベース１０２に記憶されている語句とを比較し、特徴語と一致する語句の印象ログデータを取得してステップＳ２４へ進む。
【００４５】
ステップＳ２４では、印象度判定手段１３３は、印象ログデータに基づいて該特徴語およびコンテンツの印象度を判定する。具体的には、各評価情報に記憶されているログの数に応じた割合を算出する。例えば、表１に示す「派遣」というキーワードには、全部で１０件のログが記憶されているが、そのうち「泣ける」という評価情報には３件のログが記憶されているので３０％、「かわいそう」という評価情報には６件のログが記憶されているので６０％、「バカっぽい」という評価情報には１件のログが記憶されているので１０％となる。
このようにして判定された印象度は数値化またはグラフ化されて印象度判定ページに組み込まれ、この印象度判定ページに関する情報が画像表示手段１１３により端末装置２００に送信される。
【００４６】
端末装置２００では、印象度判定ページに関する情報を受信し、図５に示すような印象度判定ページ３５を出力手段に表示させる。印象度判定ページ３５は、テキストで表示されたコンテンツ３５１と、印象度を表す円グラフ３５２と、が表示される。コンテンツ３５１は、特徴語抽出手段１３１により抽出された特徴語が太字などで強調表示される。円グラフ３５２は、判定された各評価情報の印象度が割合（％）で示されている。
【００４７】
印象ログ削除手段１２３は、印象情報データベース１０２に記憶されたデータを定期的に削除する。印象情報データベース１０２には、入力されたときの日付が印象ログとして記憶されているため、この日付から所定期間経過したデータを削除する。
【００４８】
［本実施形態の作用効果］
上述した本実施形態では、以下に示す作用効果を奏することができる。
上記実施形態では、キーワードを入力して画像検索を行う際に、選択した画像に対する印象を入力させ、この印象とキーワードとを関連付けてログを収集する。このようにして収集した情報は最新の世論が反映されているため、最新の世論が反映された情報を容易に収集することができる。また、画像検索を行うたびに情報を収集することができるので、効率よく大量のデータを収集することができる。
【００４９】
また、本実施形態では、キーワードに対する印象ではなく、キーワードにより検索された画像に対する印象を入力させている。キーワードはテキストで表示されるため、ユーザにとってその印象を即座に判断することは難しい。一方、画像であれば、ユーザは直感的にその印象を判断することができ、入力をスムーズに行うことができる。したがって、ユーザは、画像検索の際に印象入力が要求された場合でも、画像に対する印象であれば直感的に判断でき、スムーズに入力を行うことができる。
さらに、印象入力画面３３には、複数の印象を表す評価情報が一覧表示され、ユーザはその中から選択するようになっている。これによれば、ユーザは直感的に選択することができるので、ユーザに手間をかけさせることなくスムーズな入力を促すことができる。
【００５０】
そして、印象情報データベース１０２に記憶されたデータは、所定期間が経過するごとに削除される。語句に対する印象は、その時の世論や流行に応じて変化するため、固定された印象では時代に応じた情報を収集することができない。本実施形態では、印象情報が所定期間経過するごとに削除されるため、常に最新の印象情報を保持することができる。
【００５１】
上記実施形態では、ユーザが閲覧しているウェブページのコンテンツについて、その印象度を判定して提供している。この判定は、最新の情報が記憶された印象情報データベース１０２のデータに基づいて行われるので、常に最新の情報による印象度を得ることができる。
したがって、このような印象度により時代のニーズを的確に把握でき、この印象度を指標とすることにより、時代のニーズに合った各種コンテンツの作成を行うことができる。
【００５２】
また、上記実施形態では、印象度判定ページ３５のコンテンツ３５１において、特徴語抽出手段１３１により抽出された特徴語が太字などで強調表示されている。このため、ユーザは、どの語句を用いて印象度の判定が行われたかを一目で把握できるため、容易にコンテンツ作成の指標とすることができる。
【００５３】
〔第２実施形態〕
第２実施形態では、テキストコンテンツを特徴づける語句が複数である場合に印象度を判定する動作について説明する。画像検索システム１０の構成および画像検索と同時に印象を表す評価情報を収集する動作は第１実施形態と同様であるので説明を省略する。
まず、ユーザは、端末装置２００を操作してウェブサーバ３００にアクセスし、ニュースが掲載されたページを取得する。端末装置２００の出力手段により表示されたニュースページには、例えば、「派遣」および「労働」に関する記事が掲載されており、ユーザは、この記事から受ける世論の印象を知るために、例えば、ニュースページ上に設けられる印象判定ボタンを押下する。これにより、画像検索装置１００に印象度判定の指示が送信される。
画像検索装置１００は、図示しない送受信手段で印象度判定の指示を受信すると、以下の処理を実施する。
【００５４】
ステップＳ２１では、特徴語抽出手段１３１は、ウェブサーバ３００にアクセスして端末装置２００から指示されたニュースページのコンテンツを取得し、ステップＳ２２へ進む。
ステップＳ２２では、特徴語抽出手段１３１は、前述の方法を用いてニュースページのコンテンツの内容を解析し、コンテンツの内容を特徴付ける特徴語「派遣」および「労働」を抽出してステップＳ２３へ進む。
ステップＳ２３では、印象情報取得手段１３２が、全ての特徴語と印象情報データベース１０２に記憶されている語句とを比較し、全ての特徴語と一致する語句の印象ログデータを全て取得してステップＳ２４へ進む。
【００５５】
ステップＳ２４では、印象度判定手段１３３は、印象ログデータに基づいて各特徴語およびコンテンツの印象度を判定する。
具体的には、全ての特徴語の全評価情報に記憶されているログの数に応じた割合を算出する。例えば、表２に示す「派遣」というキーワードには全部で１０件のログが記憶され、「労働」というキーワードには全部で１０件のログが記憶されているので、計２０件のログがある。このうち、「おもしろい」に５件、「泣ける」に５件、「かわいそう」に６件、「バカっぽい」に１件、「かっこいい」に３件のログが記憶されているので、割合は順に２５％、２５％、３０％、５％、１５％となる。このように、複数の特徴語の印象を表す評価情報に基づいた印象度を数値化またはグラフ化し、印象度判定ページに組み込む。
そして、この印象度判定ページに関する情報は画像表示手段１１３により端末装置２００に送信される。
【００５６】
端末装置２００では、印象度判定ページに関する情報を受信し、印象度判定ページを出力手段に表示させる。表示方法は、前述の印象度に応じて表示すればよい。例えば、テキストコンテンツと、全ての特徴語の評価情報に基づいたコンテンツの印象度を表す一つの円グラフと、が表示される。
テキストコンテンツは、特徴語抽出手段１３１により抽出された複数の特徴語が太字などで強調表示される。円グラフは、判定された評価情報の印象度が割合（％）で示される。
【００５７】
このような第２実施形態によれば、第１実施形態と同様の作用効果を奏することができる。また、第２実施形態では、複数の特徴語の印象を表す評価情報に基づいた印象度を自動で表示させることができるので、ユーザはより簡単かつ的確に時代のニーズを把握でき、この印象度を指標とすることにより、時代のニーズに合った各種コンテンツの作成を行うことができる。
なお、第２実施形態において、特徴語ごとの印象を表す評価情報を抽出して、特徴語ごとの印象度を表示させる構成とすることもできる。この場合、全ての特徴語の評価情報に基づいた印象度と、特徴語ごとの印象度と、をタブ等で切り替えることにより表示させてもよい。
【００５８】
〔変形例〕
なお、本発明は、上述した実施形態に限定されるものではなく、本発明の目的を達成できる範囲で、以下に示される変形をも含むものである。
例えば、上記実施形態では、画像処理部１１０、印象情報収集部１２０および印象度判定部１３０を一つの画像検索装置１００内に設けたが、画像処理部１１０および印象情報収集部１２０を一つの装置に設け、印象度判定部１３０を別の装置に設ける構成としてもよい。
【００５９】
また、上記実施形態では、印象入力画面３３には、複数の評価部３３２がボタンとして表示されているが、ユーザの入力の手間がかからない選択方法であればこれに限られない。例えば、プルダウン形式、ラジオボタン形式等の周知の方法を適宜使用することができる。
さらに、上記実施形態では、コンテンツ３５１と印象度の判定結果である円グラフ３５２を隣接して表示させたが、これらを表示する形式はこれに限られない。コンテンツ３５１と円グラフ３５２をそれぞれ別のページに表示してもよい。また、印象度の判定結果を、円グラフではなく、棒グラフや数値等で表現してもよい。
【産業上の利用可能性】
【００６０】
本発明は、画像検索機能を備えた画像検索装置に利用できる。
【符号の説明】
【００６１】
１０  画像検索システム
２０  インターネット
１００  画像検索装置
１０１  画像情報データベース
１０２  印象情報データベース
１１０  画像処理部
１１１  キーワード取得手段
１１２  画像検索手段
１１３  画像表示手段
１２０  印象情報収集部
１２１  印象入力取得手段
１２２  印象ログ格納手段
１２３  印象ログ削除手段
１３０  印象度判定部
１３１  特徴語抽出手段
１３２  印象情報取得手段
１３３  印象度判定手段
１３４  印象度提供手段
２００  端末装置
３００  ウェブサーバ
【図１】
2010271757.tif 000005
【図２】
2010271757.tif 000006
【図３】
2010271757.tif 000007
【図４】
2010271757.tif 000008
【図５】
2010271757.tif 000009